(57)【特許請求の範囲】
【請求項１】
下記（ａ）成分を約０．０００５〜約０．１質量％、（ｂ）成分を約０．０５〜約１質量％、（ｃ）成分及び水を含有する噴霧用透明液体芳香剤組成物。
（ａ）成分：式（１）で表されるケイ酸エステル化合物
【化１】
0005856907.tif 000015
〔式中、Ｒ1、Ｒ2、Ｒ3及びＲ4は独立に、水素原子、又は置換基を有していてもよい炭素数１〜３０のアルキル基若しくはアリール基であり、Ｒ1、Ｒ2、Ｒ3及びＲ4のうち１つ又は２つは、フェノール性水酸基を有する香料からフェノール性水酸基を除いた残基であり、Ｒ1、Ｒ2、Ｒ3及びＲ4のうち２つ又は３つは、炭素数６〜２０の２級又は３級アルコールから１つの水酸基を除いた残基である。〕
（ｂ）成分：下記一般式（ｂ１）又は（ｂ２）で表される、陽イオン界面活性剤
【化２】
0005856907.tif 000016
〔式中、Ｒ1bは、それぞれ同一でも異なっていてもよい炭素数８〜１０の脂肪族炭化水素基であり、Ｒ2bは、それぞれ同一でも異なっていてもよい炭素数１〜３のアルキル基及び炭素数１〜３のヒドロキシアルキル基から選ばれる基であり、Ｑ-は陰イオン基である。〕
【化３】
0005856907.tif 000017
〔式中、Ｒ３bは炭素数８〜１４の脂肪族炭化水素基であり、Ｒ４b、Ｒ５bは炭素数１〜３のアルキル基及び炭素数１〜３のヒドロキシアルキル基から選ばれる基であり、Ｑ-は陰イオン基である。〕
（ｃ）成分：エタノール
【請求項２】
更に、（ｄ）成分として、２〜６価で１分子の総炭素数が２〜１２の多価アルコールを含有する、請求項１に記載の噴霧用透明液体芳香剤組成物。
【請求項３】
更に、（ｅ）成分として、分子量１０４〜３００の２価又は３価のカルボン酸及びその塩から選ばれる１種又は２種以上の化合物を含有する、請求項１又は２に記載の噴霧用透明液体芳香剤組成物。
【請求項４】
２５℃におけるｐＨが６〜８．５である、請求項１〜３のいずれかに記載の噴霧用透明液体芳香剤組成物。
【請求項５】
フェノール性水酸基を有する香料が、ラズベリーケトン、オイゲノール、イソオイゲノール、バニリン、エチルバニリン、チモール、及びカルバクロールから選ばれる少なくとも１種である、請求項１〜４のいずれかに記載の噴霧用透明液体芳香剤組成物。
【請求項６】
２級又は３級アルコールが、水酸基が環状脂肪族炭化水素を構成する骨格炭素原子に直に結合している2級アルコールである、請求項１〜５のいずれかに記載の噴霧用透明液体芳香剤組成物。
【請求項７】
請求項１〜６のいずれかに記載の噴霧用透明液体芳香剤組成物をスプレー容器に充填してなる、スプレー式芳香剤物品。
【発明の詳細な説明】
【技術分野】
【０００１】
本発明は、噴霧用透明液体芳香剤組成物及びこれを用いたスプレー式芳香剤物品に関する。
【背景技術】
【０００２】
従来から、自分の香りを周りにアピールする為に、身体に適用する香水が用いられてきた。近年、身体に適用する香水のみならず、着用したり使用する衣類から、自分が気に入った香りを香らせ、自らを周囲にアピールする行動が増えてきている。それに伴い、トイレタリーメーカー各社から、衣類に種々の香りを付与し、香りの持続性に優れる柔軟剤組成物が販売されている。また、居住空間にも香りを香らせる置型の芳香剤や、スプレーで噴霧する芳香剤の市場も大きくなってきている。
【０００３】
特許文献１、２には、ケイ酸エステル化合物と非イオン界面活性剤とを含有し、香りの持続性に優れ、繊維製品に噴霧するのに適した、繊維製品処理剤組成物が開示されている。
特許文献３には、衣類・布製品などにあらかじめスプレーして用いられる、不快臭の発生を抑制する第４級アンモニウム型抗菌剤を配合した抗菌消臭剤について、抗菌効果の持続性を向上させ、ひいては消臭効果の持続性に優れる抗菌消臭剤組成物として、特定の構造を有する非イオン性界面活性剤、第４級アンモニウム塩型抗菌剤及び水溶性多価カルボン酸を含有する、消臭性能に優れた消臭剤組成物が開示されている。
【先行技術文献】
【特許文献】
【０００４】
【特許文献１】特開２０１０−２０９４９４号公報
【特許文献２】特開２０１０−１３３０７３号公報
【特許文献３】特開２００９−１５３７８８号公報
【発明の概要】
【発明が解決しようとする課題】
【０００５】
特許文献１、２に記載のケイ酸エステル化合物を含む組成物を、衣類に付着させることで、衣類から香るほのかな香りが長期間持続することが知られている。
しかしながら、ケイ酸エステル化合物の含有量が低く、多量の水を含有し、透明な外観を有し、且つ、噴霧に適した透明液体芳香剤組成物中では、ケイ酸エステル化合物は、白濁乳化した液体芳香剤組成物における存在形態のように分散剤に覆われた状態とは異なり、溶液状態で存在するため、水との接触割合が大きく、加水分解しやすくなる為、更なる改善が望まれていた。
また、芳香剤、消臭剤などをはじめとして、噴霧用の組成物には、抗菌剤として、ジデシルジメチルアンモニウムクロリド等の陽イオン界面活性剤を用いることが多い。しかしながら、ケイ酸エステル化合物を低濃度で含有する透明液体芳香剤組成物に、ジデシルジメチルアンモニウムクロリド等の陽イオン界面活性剤を使用すると、組成物中でのケイ酸エステル化合物の加水分解が促進されることが明らかとなった。すなわち、透明な外観とするために水中にケイ酸エステル化合物を低濃度で配合した組成物に、陽イオン界面活性剤を使用すると、ケイ酸エステル化合物の安定性に課題が生じることが新たに見出された。とりわけ、フェノール性水酸基を有する香料から、フェノール性水酸基を除いた残基を、置換基として有するケイ酸エステル化合物は、加水分解が起こりやすく、更なる加水分解安定性の改善が望まれていた。
特許文献３では、第４級アンモニウム型の陽イオン界面活性剤と水溶性ポリカルボン酸が水和ゲルを形成することで、抗菌剤の効果をより高めることが記載されているが、ケイ酸エステル化合物の加水分解に関することは記載されていない。
【０００６】
本発明の課題は、特定のケイ酸エステル化合物と陽イオン界面活性剤とを含有し、香りの持続性に優れた噴霧用透明液体芳香剤組成物を提供することである。
【課題を解決するための手段】
【０００７】
本発明者は、ケイ酸エステル化合物の置換基として、特定構造の基を、特定の数、有することで、水中にケイ酸エステル化合物を低濃度で含有する噴霧用透明液体芳香剤組成物であっても、ケイ酸エステル化合物の加水分解を適度に抑制できることを見出した。とりわけ、フェノール性水酸基を有する香料から、フェノール性水酸基を除いた残基を、置換基として有するケイ酸エステル化合物の加水分解を適度に抑制できる。
すなわち、本発明は、以下の［１］及び［２］に関する。
［１］  下記（ａ）成分を約０．０００５〜約０．１質量％、（ｂ）成分を約０．０５〜約１質量％、（ｃ）成分及び水を含有する噴霧用透明液体芳香剤組成物。
（ａ）成分：式（１）で表されるケイ酸エステル化合物
【化１】
0005856907.tif 000002
〔式中、Ｒ1、Ｒ2、Ｒ3及びＲ4は独立に、水素原子、又は置換基を有していてもよい炭素数１〜３０のアルキル基若しくはアリール基であり、Ｒ1、Ｒ2、Ｒ3及びＲ4のうち１つ又は２つは、フェノール性水酸基を有する香料からフェノール性水酸基を除いた残基であり、Ｒ1、Ｒ2、Ｒ3及びＲ4のうち２つ又は３つは、２級又は３級アルコールから１つの水酸基を除いた残基である。〕
（ｂ）成分：４級アンモニウム基を１つ有し、該４級アンモニウム基の窒素上に、炭素数８〜１４の脂肪族炭化水素基を１つ又は２つ有する、陽イオン界面活性剤
（ｃ）成分：エタノール
［２］  ［１］の噴霧用透明液体芳香剤組成物をスプレー容器に充填してなる、スプレー式芳香剤物品。
【発明の効果】
【０００８】
本発明によれば、ケイ酸エステル化合物と陽イオン界面活性剤とを含有していても、ケイ酸エステル化合物の加水分解が適度に抑制され、香りの持続性に優れた噴霧用透明液体芳香剤組成物を提供することができる。
【発明を実施するための形態】
【０００９】
本発明の噴霧用透明液体芳香剤組成物は、下記（ａ）成分を約０．０００５〜約０．１質量％、（ｂ）成分を約０．０５〜約１質量％、（ｃ）成分及び水を含有する。
（ａ）成分：式（１）で表されるケイ酸エステル化合物
【化２】
0005856907.tif 000003
〔式中、Ｒ1、Ｒ2、Ｒ3及びＲ4は独立に、水素原子、又は置換基を有していてもよい炭素数１〜３０のアルキル基若しくはアリール基であり、Ｒ1、Ｒ2、Ｒ3及びＲ4のうち１つ又は２つは、フェノール性水酸基を有する香料からフェノール性水酸基を除いた残基であり、Ｒ1、Ｒ2、Ｒ3及びＲ4のうち２つ又は３つは、２級又は３級アルコールから１つの水酸基を除いた残基である。〕
（ｂ）成分：４級アンモニウム基を１つ有し、該４級アンモニウム基の窒素上に、炭素数８〜１４の脂肪族炭化水素基を１つ又は２つ有する、陽イオン界面活性剤
（ｃ）成分：エタノール
このように、（ａ）成分のケイ酸エステル化合物として、２級又は３級アルコールから１つの水酸基を除いた残基を２つ又は３つ有することで、ケイ酸エステル化合物の加水分解を適度に抑制することができ、香りの持続性に優れた噴霧用透明液体芳香剤組成物が得られると考えられる。とりわけ、フェノール性水酸基を有する香料からフェノール性水酸基を除いた残基を、置換基として有する、ケイ酸エステル化合物の加水分解を適度に抑制できる。
以下、本発明の噴霧用透明液体芳香剤組成物の各成分について詳細に説明する。
【００１０】
[（ａ）成分：ケイ酸エステル化合物]
本発明の噴霧用透明液体芳香剤組成物の（ａ）成分は、式（１）で表されるケイ酸エステル化合物である。
【化３】
0005856907.tif 000004
（式中、Ｒ1、Ｒ2、Ｒ3及びＲ4は独立に、水素原子、又は置換基を有していてもよい炭素数１〜３０のアルキル基若しくはアリール基であり、Ｒ1、Ｒ2、Ｒ3及びＲ4のうち１つ又は２つは、フェノール性水酸基を有する香料からフェノール性水酸基を除いた残基であり、Ｒ1、Ｒ2、Ｒ3及びＲ4のうち２つ又は３つは、２級又は３級アルコールから１つの水酸基を除いた残基である。）
【００１１】
本発明の式（１）で表されるケイ酸エステル化合物（ａ）は、以下のｉ）〜iii)の態様が好ましい。
ｉ）Ｒ1、Ｒ2、Ｒ3及びＲ4のうち１つがフェノール性水酸基を有する香料からフェノール性水酸基を除いた残基であり、Ｒ1、Ｒ2、Ｒ3及びＲ4のうち３つが２級又は３級アルコールから水酸基を除いた残基である態様
ii）Ｒ1、Ｒ2、Ｒ3及びＲ4のうち２つがフェノール性水酸基を有する香料からフェノール性水酸基を除いた残基であり、Ｒ1、Ｒ2、Ｒ3及びＲ4のうち２つが２級又は３級アルコールから水酸基を除いた残基である態様
iii）Ｒ1、Ｒ2、Ｒ3及びＲ4のうち１つがフェノール性水酸基を有する香料からフェノール性水酸基を除いた残基であり、Ｒ1、Ｒ2、Ｒ3及びＲ4のうち２つが２級又は３級アルコールから水酸基を除いた残基であり、Ｒ1、Ｒ2、Ｒ3及びＲ4のうち１つが、水素原子、又は置換基を有していてもよい炭素数１〜３０のアルキル基若しくはアリール基（但し、フェノール性水酸基を有する香料からフェノール性水酸基を除いた残基、及び２級若しくは３級アルコールから水酸基を除いた残基を除く）である態様
上記ｉ）〜iii）の何れの態様も本願所望の効果を奏するが、フェノール性水酸基を有する香料の香り持続性の観点から、ｉ）及びiii）の態様がより好ましく、ｉ）の態様がさらに好ましい。
【００１２】
本発明において、フェノール性水酸基を有する香料とは、芳香族炭化水素基の水素原子の一つが水酸基に置換された構造を有する香料として用いられるアルコールを意味する。
フェノール性水酸基を有する香料としては、例えば、ラズベリーケトン（４−（４−ヒドロキシフェニル）−２−ブタノン）、オイゲノール、イソオイゲノール、バニリン、エチルバニリン、チモール、カルバクロールが挙げられる。
フェノール性水酸基を有する香料としては、オルト位（水酸基に対し）に極性官能基（例えばエーテル、エステル、アルデヒド、ケトン、ハロゲンなど）を有していないものが、水系製品中における保存安定性の観点から好適である。具体例としては、ラズベリーケトン、チモールが挙げられる。
【００１３】
フェノール性水酸基を有する香料の水系製品中における分解・放出を抑制し、実使用系において該香料を長期に亘り安定に徐放させるにあたって、ケイ酸エステル化合物（ａ）において、Ｒ1、Ｒ2、Ｒ3及びＲ4のうち２つ又は３つが、２級又は３級アルコールから１つの水酸基を除いた残基であることが重要である。ここで、かかる２つ又は３つの置換基は、そのいずれもが２級アルコールから１つの水酸基を除いた残基であっても、いずれもが３級アルコールから１つの水酸基を除いた残基であっても、あるいはまた、２級アルコールから１つの水酸基を除いた残基と３級アルコールから１つの水酸基を除いた残基の両方を組み合わせて有してもよい。
本発明の噴霧用透明液体芳香剤組成物中でのケイ酸エステル化合物（ａ）の加水分解を抑制する観点から、Ｒ1、Ｒ2、Ｒ3及びＲ4のうち２つ又は３つが、３級アルコールから１つの水酸基を除いた残基が好ましい。
本発明の噴霧用透明液体芳香剤組成物中でのケイ酸エステル化合物（ａ）の加水分解を抑制し、且つ対象物に当該組成物を噴霧し、対象物に付着させた後に、香りを適度な強さで香らせる観点から、Ｒ1、Ｒ2、Ｒ3及びＲ4のうち２つ又は３つが、２級アルコールから１つの水酸基を除いた残基が好ましい。特に好ましくは、ケイ酸エステル化合物において、Ｒ1、Ｒ2、Ｒ3及びＲ4のうち、２つ又は３つが２級アルコールから水酸基を除いた残基とすることが好適である。
本願所望の効果を得る観点から、２級又は３級アルコールとしては、炭素数６〜２０のものが好ましく、炭素数６〜１５のものがより好ましく、炭素数９〜１３のものが更に好ましい。
【００１４】
上記の２級アルコールとしては、特に制限されないが、例えば、チンベロール（１−(２,２,６−トリメチルシクロヘキサン−１−イル)−ペンタン−２−オール）、メントール（ｐ−メンタン−３−オール）、アンバーコア、ｐ−ｔｅｒｔブチルシクロヘキサノール、ｏ−ｔｅｒｔ−ブチルシクロヘキサノール、カルベオール、コヒノール（３,４,５,６,６−ペンタメチル−２−ヘプタノール）、サンダロア（３−メチル−５−(２,２,３−トリメチルシクロペンテン−１−イル)−ペンタン−２−オール）、２−オクチルアルコール、２−ノニルアルコール、オシロール、フォルロージア（４−イソプロピルシクロヘキサノール）、イソプレゴール、３−ヘプタノール、３−オクタノール、２−ウンデカノール、１−ペンテン−３−オール、１−オクテン−３−オール、１−ノネン−３−オール、４−メチル−３−デセン−５−オール、メチルサンデフロール、ジヒドロカルベオール、α−フェンキルアルコール（１,３,３−トリメチルビシクロ(２.２．１)ヘプタン−２−オール）、ボルネオール、カメコール（α,３,３−トリメチルビシクロ(２.２．１)ヘプタン−２−メタノール）、ジメチルサイクロモル（２(ｏｒ３),４−ジメチル−３ａ,４,５,６,７,７ａ−ヘキサヒドロ−４,７−メタノ−１Ｈ−インデン−５−オール）、イソカンフィルシクロヘキサノール、β−カリオフィレンアルコール、セドロール、ｐ−α−ジメチルベンジルアルコール、α−フェニルエチルアルコール、α−プロピルフェニルエチルアルコール、イソブチルベンジルカルビノール、デカヒドロ−β−ナフトールなどが挙げられる。
【００１５】
上記の３級アルコールとしては、特に制限されないが、例えば、ミルセノール（２−メチル−６−メチレン−７−オクテン−２−オール）、テルピネオール、リナロール、２，６−ジメチルヘプタノール、２−メチル−３−ブテン−２−オール、アンブリノール、ジヒドロリナロール、テトラヒドロリナロール、テトラヒドロムゴール（２,６−ジメチル−２−オクタノール及び３,７−ジメチル−３−オクタノール）、ムゴール（２,６−ジメチル−３,５−オクタジエン−２−オール及び３,７−ジメチル−４,６−オクタジエン−３−オール）、ジヒドロミルセノール（２,６−ジメチル−７−オクテン−２−オール）、テトラヒドロミルセノール（２,６−ジメチル−２−オクタノール）、オシメノール、３，６−ジメチル−３−オクタノール、エチルリナロール、テルピネオール、ジヒドロテルピネオール、４−ツヤノール、ネロリドール、ビサボロール、パチュリアルコール、イソフィトール（３,７,１１,１５−テトラメチル−１−ヘキサデセン−３−オール）、ゲラニルリナロール、スクラレオール、α、α−ジメチルフェニルエチルアルコール、ｐ−メチルジメチルベンジルカルビノール、ジメチルフェニルエチルカルビノール、３−メチル−１−フェニル−３−ペンタノール、フロロール（２−イソブチル−４−メチルテトラヒドロ−２Ｈ−ピラン−４−オール）などが挙げられる。
これらの２級又は３級アルコールの中でも、水酸基が環状脂肪族炭化水素を構成する骨格炭素原子に直に結合している２級アルコールが好ましく、本発明の噴霧用透明液体芳香剤組成物の（ａ）成分のフェノール性水酸基を有する香料由来の残基の加水分解を抑制する観点から、メントール、フォルロージアがより好ましい。
【００１６】
水素原子、又は置換基を有していてもよい炭素数１〜３０のアルキル基若しくはアリール基は、持続性の観点から、炭素数１〜１５の１級アルコールから水酸基を除いた残基が好ましく、炭素数６〜１２の１級アルコールから水酸基を除いた残基がより好ましい。
かかる１級アルコールの具体例としてはエタノール、ブタノール等の炭素数１〜４のアルキル基を有する１級アルコール、ラウリルアルコール、ステアリルアルコール等の炭素数６〜１２の１級の脂肪アルコール、２−エチルヘキサノール、４−ブチルオクタノール等のゲルベアルコール、ゲラニオール（３，７−ジメチル−トランス−２，６−オクタジエン−１−オール）、シトロネロール等の香料アルコール等が挙げられる。
これらの１級アルコールの中でも、ゲラニオールが好ましい。
【００１７】
ケイ酸エステル化合物（ａ）は、複数種の物質を含む混合組成物として本発明の噴霧用透明液体芳香剤組成物に添加してもよい。混合組成物は、ケイ酸エステル化合物（ａ）以外に、これらケイ酸エステル化合物（ａ）の製造の際に副生する副生物や、これらケイ酸エステル化合物（ａ）の縮合物、あるいは製造原料を含んでいてもよい。混合組成物中のケイ酸エステル化合物（ａ）の含有量は、長期に亘り安定に香料を徐放させる観点から、１０質量％以上が好ましく、１５質量％がより好ましい。混合組成物中のケイ酸エステル化合物（ａ）の含有量の上限は、１００質量％であるが、上記のケイ酸エステル化合物（ａ）を含む混合組成物の製造の容易性から、９０質量％以下が好ましい。
ケイ酸エステル化合物（ａ）は、特開２０１０−１３３０７３号公報の段落００３０〜００４１などに記載されている方法で入手することができる。
【００１８】
［（ｂ）成分：陽イオン界面活性剤］
本発明の（ｂ）成分は、４級アンモニウム基を１つ有し、該４級アンモニウム基の窒素上に、炭素数８〜１４の脂肪族炭化水素基を１つ又は２つ有する、陽イオン界面活性剤である。
中でも下記一般式（ｂ１）又は（ｂ２）で表される陽イオン界面活性剤を含有することが好ましい。
【化４】
0005856907.tif 000005
〔式中、Ｒ1bは、それぞれ同一でも異なっていてもよい炭素数８〜１０の脂肪族炭化水素基であり、Ｒ2bは、それぞれ同一でも異なっていてもよい炭素数１〜３のアルキル基及び炭素数１〜３のヒドロキシアルキル基から選ばれる基であり、Ｑ-は陰イオン基である。〕
【化５】
0005856907.tif 000006
〔式中、Ｒ3bは炭素数８〜１４の脂肪族炭化水素基であり、Ｒ4b、Ｒ5bは炭素数１〜３のアルキル基及び炭素数１〜３のヒドロキシアルキル基から選ばれる基であり、Ｑ-は陰イオン基である。〕
【００１９】
一般式（ｂ１）で表される陽イオン界面活性剤〔以下「（ｂ１）成分」ともいう〕としては、抗菌性の観点から前記Ｒ1bは、アルキル基が好ましく、なかでも炭素数１０のアルキル基が好ましい。炭素数１０のアルキル基の具体例としては１−デシル基が好ましい。
Ｒ2bの炭素数１〜３のアルキル基は、製造の容易性の観点から、メチル基及びエチル基から選ばれる基が好ましい。
Ｒ2bの炭素数１〜３のヒドロキシアルキル基は、製造の容易性の観点から、２−ヒドロキシエチル基が好ましい。
Ｑ-の陰イオン基として好ましくは、製造の容易性の観点から、塩素イオン、メチル硫酸イオン及びエチル硫酸イオンから選ばれる基が好ましい。
（ｂ１）成分の好ましい具体例としては、Ｎ，Ｎ−ジ（１−デシル）−Ｎ，Ｎ−ジメチルアンモニウムクロリド及びＮ，Ｎ−ジ（１−デシル）−Ｎ，Ｎ−ジメチルアンモニウムメチルサルフェートから選ばれる化合物が挙げられ、これらの中でも、より好ましくは、Ｎ，Ｎ−ジ（１−デシル）−Ｎ，Ｎ−ジメチルアンモニウムクロリドである。
【００２０】
一般式（ｂ２）で表される陽イオン界面活性剤〔以下「（ｂ２）成分」ともいう〕としては、Ｒ3bは、抗菌性の観点から、アルキル基が好ましく、なかでも炭素数８のアルキル基、炭素数１２のアルキル基、又は炭素数１４のアルキルが好ましい。炭素数８のアルキル基の具体例としては１−オクチル基が好ましい。炭素数１２のアルキル基としては１−ドデシル基、炭素数１４のアルキル基としては１−テトラデシル基が好ましい。
Ｒ4b、Ｒ5bの炭素数１〜３のアルキル基としては、製造の容易性の観点から、メチル基及びエチル基から選ばれる基が好ましい。
Ｒ4b、Ｒ5bの炭素数１〜３のヒドロキシアルキル基としては、製造の容易性の観点から、２−ヒドロキシエチル基が好ましい。
Ｑ-の陰イオン基として好ましくは、製造の容易性の観点から、塩素イオン、メチル硫酸イオン及びエチル硫酸イオンから選ばれる基が好ましい。
これらの（ｂ２）成分の中でも、抗菌効果を有する化合物として、Ｎ−（１−オクチル）−Ｎ，Ｎ−ジメチル−Ｎ−ベンジルアンモニウムクロリド、Ｎ−（１−ドデシル）−Ｎ，Ｎ−ジメチル−Ｎ−ベンジルアンモニウムクロリド及びＮ−（１−テトラデシル）−Ｎ，Ｎ−ジメチル−Ｎ−ベンジルアンモニウムクロリドから選ばれる化合物が好ましく、より好ましくは、Ｎ−（１−ドデシル）−Ｎ，Ｎ−ジメチル−Ｎ−ベンジルアンモニウムクロリド、及びＮ−（１−テトラデシル）−Ｎ，Ｎ−ジメチル−Ｎ−ベンジルアンモニウムクロリドから選ばれる化合物がより好ましい。
【００２１】
［（ｃ）成分：エタノール］
本発明の（ｃ）成分は、エタノールである。エタノールは合成アルコール、発酵アルコール又はバイオエタノール等のいずれを用いてもよい。エタノールは、繊維等の対象物に噴霧した後の、水を含有する組成物の乾燥性を高めたり、香料と共に揮発することで、香り立ちを良くする為に用いられる。また、本発明においては、組成物中に含有するエタノールの量により、ケイ酸エステル化合物の加水分解の程度が影響されることが見出された。
【００２２】
［（ｄ）成分：多価アルコール］
本発明においては、持続的な香りを発現させる観点から、更に（ｄ）成分として、２〜６価で１分子の総炭素数が２〜１２の多価アルコールを含むことが好ましい。具体的には、ジエチレングリコール、ジプロピレングリコール、グリセリン、ソルビトール、又は、グリセリンのアルキル（炭素数１〜８）のモノエーテル誘導体が挙げられる。
これらの中では、持続的な香りをより発現させる観点から、ジエチレングリコール、ジプロピレングリコール、２−エチルヘキシルグリセリルエーテルが好ましく、加水分解率の低下を抑制し、且つ持続的な香りを発現させる観点から、ジエチレングリコール、ジプロピレングリコールが好ましい。
【００２３】
［（ｅ）成分］
本発明においては、更に（ｅ）成分として、分子量１０４〜３００の２価又は３価のカルボン酸及びその塩から選ばれる１種又は２種以上の化合物を含むことが、（ａ）成分の加水分解抑制の観点から好ましい。この分子量は、酸型化合物の分子量である。
本発明では、（ｅ）成分として前記カルボン酸の塩を配合することもできるが、酸型のカルボン酸を、水を含有する組成物に添加し、そのｐＨを６．０〜８．５とすることで塩として存在させることができる。当業者において、水を含有する組成物中でのｐＨが、該カルボン酸のｐＫａ付近か、又は高ければ、該カルボン酸は一部、塩として存在することは自明である。
より具体的な化合物としては、マロン酸（分子量：１０４）〔以下（  ）内の数値は分子量を表す。〕、マロン酸の水素原子の１個又は２個が炭素数１〜３のアルキル基で置換されたマロン酸誘導体（１１８〜１８６）、マレイン酸（１１６）、マレイン酸の水素原子の１個又は２個が炭素数１〜３のアルキル基で置換されたマレイン酸誘導体（１３０〜２００）、コハク酸（１１８）、コハク酸の水素原子の１個又は２個が炭素数１〜３のアルキル基で置換されたコハク酸誘導体（１３２〜２３０）、グルタル酸（１３２）、グルタル酸の水素原子の１個又は２個が炭素数１〜３のアルキル基で置換されたグルタル酸誘導体（１４６〜２１６）、クエン酸（１６４）、及びこれらの酸の塩が挙げられる。前記アルキル基はメチル基、エチル基、１−プロピル基、２−プロピル基が挙げられる。
本発明の（ｂ）成分と、ケイ酸エステル化合物を安定化しやすい複合体の形成しやすさの観点から、分子量１１５〜２８０の２価又は３価のカルボン酸及びその塩から選ばれる１種又は２種以上の化合物が好ましく、分子量１３０〜２３０の２価又は３価のカルボン酸及びその塩から選ばれる１種又は２種以上の化合物がより好ましく、分子量１４０〜２２０の２価又は３価のカルボン酸及びその塩から選ばれる１種又は２種以上の化合物がより特に好ましい。
具体的には、化合物が容易に入手できる観点から、マロン酸塩、マレイン酸、コハク酸、グルタル酸、クエン酸、及びそれらの塩から選ばれる１種又は２種以上の化合物が好ましく、（ａ）成分の加水分解抑制の観点から、グルタル酸、クエン酸、及びそれらの塩から選ばれる１種又は２種以上の化合物がより好ましく、クエン酸及びその塩から選ばれる１種又は２種以上の化合物が更に好ましい。
【００２４】
［噴霧用透明液体芳香剤組成物］
本発明の噴霧用液体芳香剤組成物は透明である。ここで、噴霧用透明液体芳香剤組成物についての「透明」とは、紫外可視分光光度計において、光路長が１ｃｍの石英セルを用い、対照セルにイオン交換水（２５℃）を入れ、測定セルに噴霧用液体芳香剤組成物（２５℃）を入れて測定した場合に、６６０ｎｍの波長の透過率が８０％以上、好ましくは９０％以上であることをいう。透過率の上限は、１００％であり、特に限定されないが、９９％が好ましい。
尚、噴霧用液体芳香剤組成物中に、ケイ酸エステル化合物が溶解しており、例えばラテックス等の６６０ｎｍの透過率を低下させ、見かけ上濁ったように見せる成分が含まれている場合には、その濁りの要因となる成分を除いた組成物又は含まない組成物の前記透過率が８０％以上であれば、本発明の技術範囲とみなす。
本発明の噴霧用透明液体芳香剤組成物中の（ａ）成分、（ｂ）成分の含有量は、使用形態、繊維製品の種類、香らせる香りの強さの程度などによって適宜調整することができる。
（ａ）成分の組成物中の含有量は、約０．０００５〜約０．１質量％である。より具体的には、持続性のある香りの賦与の観点から、０．０００５質量％以上であり、衣類等に持続性のある適度な強さの香りを賦与する観点から、０．００１質量％以上が好ましい。経済的な観点から０．１質量％以下であり、香りが強すぎないという観点から、０．０５質量％以下が好ましく、０．０３質量％以下がより好ましい。
【００２５】
（ｂ）成分の組成物中の含有量は、約０．０５〜約１質量％である。より具体的には、噴霧用透明液体芳香剤組成物に抗菌性を賦与する点、又は噴霧した衣類等の対象物に抗菌性を賦与する観点から、０．０５質量％以上であり、０．０８質量％以上がより好ましく、０．１質量％以上が更に好ましい。また（ｂ）成分の含有量は、1質量％以下であり、ケイ酸エステル化合物の加水分解を促進しすぎないようにする観点から、０．５質量％以下が好ましく、ケイ酸エステル化合物の加水分解抑制の観点から、０．４質量％以下が好ましく、０．２質量％以下がより好ましい。尚、本明細書において、（ｂ）成分の含有量とは、（ｂ）成分の陽イオン界面活性剤の含有量に換算した値を示す（すなわち対イオンである陰イオン部分の含有量は考慮しない）。
【００２６】
（ｃ）成分の含有量は、香り立ちの観点から、噴霧用透明液体芳香剤組成物中、１質量％以上が好ましく、２質量％以上がより好ましく、２．５質量％以上が更に好ましい。ケイ酸エステル化合物の加水分解安定性の観点から、噴霧用透明液体芳香剤組成物中、１５質量％以下であり、１２質量％以下が好ましく、１０質量％以下がより好ましく、７質量％以下が更に好ましい。
【００２７】
（ｄ）成分の含有量は、本発明の噴霧用透明液体芳香剤組成物において、持続的な香りを発現させる観点から、（ａ）成分に対する（ｄ）成分の質量比〔（ｄ）成分／（ａ）成分〕は、５０００〜４が好ましく、より好ましくは３０００〜５、更に好ましくは５００〜６である。
【００２８】
（ｅ）成分の含有量は、（ｅ）成分に対する（ｂ）成分の質量比〔（ｂ）成分／（ｅ）成分〕で、ケイ酸エステル化合物の加水分解抑制の観点から、３０以下が好ましく、２５以下がより好ましく、２０以下が更に好ましく、１４以下がより更に好ましく、１０以下が特に好ましい。当該質量比は、経済的な観点及び組成物のｐＨ調整のし易さの観点から１以上が好ましく、経済的な観点及び組成物のｐＨ調整のし易さの観点から１．５以上が好ましい。（ｅ）成分はこの質量比を満たす含有量で組成物中に配合されることが好ましい。尚、（ｂ）成分は陽イオンの質量に換算した値であり、（ｅ）成分は酸型に換算した値を用いる。
【００２９】
本発明の噴霧用透明液体芳香剤組成物において、（ａ）成分及び（ｂ）成分以外の残部は水とすることができる。使用する水は、蒸留水やイオン交換水等からイオン成分を除去したものが好ましい。組成物中の水の含有量は、噴霧用透明液体芳香剤組成物の調製のし易さの観点から、７５〜９９．９４質量％が好ましく、７５〜９６．５質量％がより好ましく、８０〜９６質量％が更に好ましい。
また必要に応じて、本発明の効果を損なわない範囲で、更に、界面活性剤〔（ｆ）成分ともいう。但し、（ｂ）成分は除く〕、硫酸ナトリウム等の塩、ｐＨ調整剤、酸化防止剤、防腐剤、香料、染料、顔料、紫外線吸収剤等の他の成分を添加することができる。
【００３０】
前記（ｆ）成分の界面活性剤としては、下記一般式（ｆ１）で表される非イオン性界面活性剤が好ましい。
Ｒ1f−Ｚ−［（ＥＯ）s／（ＰＯ）t］−Ｒ2f      （ｆ１）
〔式（ｆ１）中、Ｒ1fは、炭素数１０〜１６の脂肪族炭化水素基、Ｒ2fは、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは整数であり、ｓは４〜５０の数、ｔは２以下の数である。〕
Ｒ1fは、（ｂ）成分と（ｃ）成分が形成する複合体に対する親和性が高いという観点から、炭素数１２〜１４の脂肪族炭化水素基が好ましく、炭素数１２〜１４のアルキル基又はアルケニル基が好ましく、炭素数１２〜１４のアルキル基がより好ましい。脂肪族炭化水素基としては、１級又は２級の炭化水素基が好ましく、１級又は２級のアルキル基又はアルケニル基がより好ましく、１級又は２級のアルキル基がより好ましい。
炭素数１２のアルキル基としては、１−ドデシル基、２級のドデシル基が好ましく、炭素数１３のアルキル基としては、２級のトリデシル基が好ましく、炭素数１４のアルキル基としては、１級のテトラデシル基、２級のテトラデシル基が好ましい。
ｓは、（ａ）成分の加水分解抑制の観点から６〜４０の数が好ましく、７〜３５の数が好ましい。ｔは、分散性の観点から１以下の数が好ましく、より好ましくは０である。
噴霧用透明液体芳香剤組成物中の（ｆ）成分の含有量は、（ａ）成分の加水分解安定性の点から、０．００５〜０．５質量％が好ましく、より好ましくは０．００８〜０．３質量％であり、特に好ましくは０．０１〜０．２質量％である。
【００３１】
本発明の噴霧用透明液体芳香剤組成物の２５℃におけるｐＨは、持続的な強い香りを発現させる観点から、６〜８．５が好ましく、６．５〜８．５がより好ましく、７．０〜８．３が更に好ましく、７．０〜８．０がより更に好ましく、７．０〜７．７が最も好ましい。本発明の噴霧用透明液体芳香剤組成物のｐＨは、塩酸等の酸、又は水酸化ナトリウム等のアルカリを添加することにより調整することができる。噴霧用透明液体芳香剤組成物のｐＨは実施例に記載の方法で測定した値である。
【００３２】
本発明の噴霧用透明液体芳香剤組成物の２５℃における粘度は、スプレー容器での噴霧適性の観点から、１５ｍＰａ・ｓ以下が好ましく、より好ましくは１〜１０ｍＰａ・ｓ、更に好ましくは１〜５ｍＰａ・ｓである。本発明の噴霧用透明液体芳香剤組成物において、２５℃における粘度が１５ｍＰａ・ｓ以下であると噴霧パターンが適正となる。粘度は、東京計器株式会社製、Ｂ型粘度計（モデル形式ＢＭ）に、Ｎｏ．１のローターを取り付け、噴霧用透明液体芳香剤組成物を２００ｍＬ容量のガラス製トールビーカーに充填し、ウォーターバスにて２５±０．３℃に調整し、ローターの回転数を６０ｒ／ｍｉｎに設定し、測定を始めてから６０秒後の指示値である。
【００３３】
［スプレー式芳香剤物品］
本発明の噴霧用透明液体芳香剤組成物をスプレー容器に充填してスプレー式芳香剤物品を得ることができる。本発明のスプレー式芳香剤物品は、本発明の噴霧用透明液体芳香剤組成物と、スプレー容器とを含んで構成される物品である。本発明の噴霧用透明液体芳香剤組成物は水を含有するミストタイプであり、これをスプレー容器に充填し、一回の噴霧量を０．１〜３ｍｌに調整したものが好ましい。使用するスプレー容器としては、トリガースプレー容器（直圧あるいは蓄圧型）やディスペンサータイプのポンプスプレー容器、耐圧容器を具備したエアゾールスプレー容器等が挙げられる。性能を効果的に発現するために、トリガー式スプレーヤーあるいはエアゾールスプレーヤーを具備するスプレー容器が好ましく、本発明においては、耐久性や布付着性の点から、トリガー式スプレーヤーを具備するスプレー容器がより好ましい。
【００３４】
スプレー容器としては、噴射口から噴射方向に１０ｃｍ離れた地点における噴霧液滴の平均粒径が１０〜２００μｍとなり、噴射口から噴射方向に１５ｃｍ離れた地点における粒径２００μｍを超える液滴の数が噴霧液滴の総数の１％以下となり、噴射口から噴射方向に１０ｃｍ離れた地点における粒径１０μｍ未満の液滴の数が噴霧液滴の総数の１％以下となる噴霧手段を備えたものが好ましい。噴霧液滴の粒子径分布は体積平均粒子径であり、例えば、レーザー回折式粒度分布計（日本電子株式会社製）により測定することができる。
【００３５】
本発明の噴霧用透明液体芳香剤組成物及びスプレー式芳香剤物品は、繊維製品用として好適であり、かかる噴霧用透明液体芳香剤組成物は、噴霧により繊維製品に付着させて、対象物に香りを付与することができる。前記スプレー式芳香剤物品はこの方法に好適に用いられる。繊維製品としては、スーツ、セーター等の衣類、カーテン、ソファー等が挙げられる。
【００３６】
本発明の噴霧用透明液体芳香剤組成物を、噴霧より繊維製品に対象物に付着させる方法が本発明の効果を享受できる観点から好ましい。付着させる量は、対象物が繊維製品である場合には、噴霧された繊維製品の乾燥時間を短くする観点から、噴霧用透明液体芳香剤組成物が付着した範囲の繊維製品の質量に対して、１００質量％以下が好ましく、７０質量％以下がより好ましい。繊維製品に対して均一に付着させる観点から、噴霧用透明液体芳香剤組成物が付着した範囲の繊維製品の質量に対して５質量％以上が好ましく、１０質量％以上がより好ましい。対象物の質量が容易に測定できない場合（例えば、大型家具などの布張部分、建物等に固定されている繊維製品等）には、対象物の１０ｃｍ2の面積に対して０．１〜３ｇ、好ましくは０．３〜２．５ｇ、より好ましくは０．５〜２．０ｇとなる量の噴霧用透明液体芳香剤組成物を付着させることが、本発明の効果が得られる観点から好ましい。
【００３７】
上述した実施の形態に関し、本発明は以下の組成物及び物品を開示する。
＜１＞  下記（ａ）成分を約０．０００５〜約０．１質量％、（ｂ）成分を約０．０５〜約１質量％、（ｃ）成分及び水を含有する噴霧用透明液体芳香剤組成物。
（ａ）成分：式（１）で表されるケイ酸エステル化合物
【化６】
0005856907.tif 000007
〔式中、Ｒ1、Ｒ2、Ｒ3及びＲ4は独立に、水素原子、又は置換基を有していてもよい炭素数１〜３０のアルキル基若しくはアリール基であり、Ｒ1、Ｒ2、Ｒ3及びＲ4のうち１つ又は２つは、フェノール性水酸基を有する香料からフェノール性水酸基を除いた残基であり、Ｒ1、Ｒ2、Ｒ3及びＲ4のうち２つ又は３つは、２級又は３級アルコールから１つの水酸基を除いた残基である。〕
（ｂ）成分：４級アンモニウム基を１つ有し、該４級アンモニウム基の窒素上に、炭素数８〜１４の脂肪族炭化水素基を１つ又は２つ有する、陽イオン界面活性剤
（ｃ）成分：エタノール
＜２＞  （ａ）成分の式（１）が、ｉ）〜iii)のいずれかである、＜１＞に記載の噴霧用透明液体芳香剤組成物。
ｉ）Ｒ1、Ｒ2、Ｒ3及びＲ4のうち１つがフェノール性水酸基を有する香料からフェノール性水酸基を除いた残基であり、Ｒ1、Ｒ2、Ｒ3及びＲ4のうち３つが２級又は３級アルコールから水酸基を除いた残基である。
ii）Ｒ1、Ｒ2、Ｒ3及びＲ4のうち２つがフェノール性水酸基を有する香料からフェノール性水酸基を除いた残基であり、Ｒ1、Ｒ2、Ｒ3及びＲ4のうち２つが２級又は３級アルコールから水酸基を除いた残基である。
iii）Ｒ1、Ｒ2、Ｒ3及びＲ4のうち１つがフェノール性水酸基を有する香料からフェノール性水酸基を除いた残基であり、Ｒ1、Ｒ2、Ｒ3及びＲ4のうち２つが２級又は３級アルコールから水酸基を除いた残基であり、Ｒ1、Ｒ2、Ｒ3及びＲ4のうち１つが、水素原子、又は置換基を有していてもよい炭素数１〜３０のアルキル基若しくはアリール基（但し、フェノール性水酸基を有する香料からフェノール性水酸基を除いた残基、及び２級若しくは３級アルコールから水酸基を除いた残基を除く）である。
＜３＞  ２級又は３級アルコールが、メントール及びフォルロージアから選ばれる1種又は２種である、＜１＞又は＜２＞に記載の噴霧用透明液体芳香剤組成物。
＜４＞  （ｂ）成分が、下記一般式（ｂ１）又は（ｂ２）で表される陽イオン界面活性剤である、＜１＞〜＜３＞のいずれかに記載の噴霧用透明液体芳香剤組成物。
【化７】
0005856907.tif 000008
〔式中、Ｒ1bは、それぞれ同一でも異なっていてもよい炭素数８〜１０の脂肪族炭化水素基であり、Ｒ2bは、それぞれ同一でも異なっていてもよい炭素数１〜３のアルキル基及び炭素数１〜３のヒドロキシアルキル基から選ばれる基であり、Ｑ-は陰イオン基である。〕
【化８】
0005856907.tif 000009
〔式中、Ｒ3bは炭素数８〜１４の脂肪族炭化水素基であり、Ｒ4b、Ｒ5bは炭素数１〜３のアルキル基及び炭素数１〜３のヒドロキシアルキル基から選ばれる基であり、Ｑ-は陰イオン基である。〕
＜５＞  （ｂ）成分が（ｂ１）成分であり、（ｂ１）成分が、Ｎ，Ｎ−ジ（１−デシル）−Ｎ，Ｎ−ジメチルアンモニウムクロリド及びＮ，Ｎ−ジ（１−デシル）−Ｎ，Ｎ−ジメチルアンモニウムメチルサルフェートから選ばれる１種又は２種の化合物であり、より好ましくは、Ｎ，Ｎ−ジ（１−デシル）−Ｎ，Ｎ−ジメチルアンモニウムクロリドである、＜４＞に記載の噴霧用透明液体芳香剤組成物。
＜６＞  （ｂ）成分が（ｂ２）成分であり、（ｂ２）成分が、Ｎ−（１−オクチル）−Ｎ，Ｎ−ジメチル−Ｎ−ベンジルアンモニウムクロリド、Ｎ−（１−ドデシル）−Ｎ，Ｎ−ジメチル−Ｎ−ベンジルアンモニウムクロリド及びＮ−（１−テトラデシル）−Ｎ，Ｎ−ジメチル−Ｎ−ベンジルアンモニウムクロリドから選ばれる１種又は２種以上の化合物であり、より好ましくは、Ｎ−（１−ドデシル）−Ｎ，Ｎ−ジメチル−Ｎ−ベンジルアンモニウムクロリド、及びＮ−（１−テトラデシル）−Ｎ，Ｎ−ジメチル−Ｎ−ベンジルアンモニウムクロリドから選ばれる１種又は２種の化合物である、＜４＞に記載の噴霧用透明液体芳香剤組成物。
＜７＞  更に、（ｄ）成分として、２〜６価で１分子の総炭素数が２〜１２の多価アルコールを含有する、＜１＞〜＜６＞のいずれかに記載の噴霧用透明液体芳香剤組成物。
＜８＞  更に、（ｅ）成分として、分子量１０４〜３００の２価又は３価のカルボン酸及びその塩から選ばれる１種又は２種以上の化合物を含有する、＜１＞〜＜７＞のいずれかに記載の噴霧用透明液体芳香剤組成物。
＜９＞  ２５℃におけるｐＨが６〜８．５である、＜１＞〜＜８＞のいずれかに記載の噴霧用透明液体芳香剤組成物。
＜１０＞  ６６０ｎｍの波長の光の透過率が８０％以上、好ましくは９０％以上である、＜１＞〜＜９＞のいずれかに記載の噴霧用透明液体芳香剤組成物。
＜１１＞  （ａ）成分の組成物中の含有量が、０．００１〜０．００５質量％であり、より好ましくは０．００１〜０．０３質量％である、＜１＞〜＜１０＞のいずれかに記載の噴霧用透明液体芳香剤組成物。
＜１２＞  （ｂ）成分の組成物中の含有量が、０．０８〜０．５質量％であり、好ましくは０．１〜０．４質量％であり、より好ましくは０．１〜０．２質量％である、＜１＞〜＜１１＞のいずれかに記載の噴霧用透明液体芳香剤組成物。
＜１３＞  （ｃ）成分の含有量が、１〜１５質量％であり、好ましくは２〜１２質量％であり、より好ましくは２．５〜１０質量％であり、更に好ましくは２．５〜７質量％である、＜１＞〜＜１２＞のいずれかに記載の噴霧用透明液体芳香剤組成物。
＜１４＞  （ａ）成分に対する（ｄ）成分の質量比〔（ｄ）成分／（ａ）成分〕は、５０００〜４であり、より好ましくは３０００〜５であり、更に好ましくは５００〜６である、＜７＞に記載の噴霧用透明液体芳香剤組成物。
＜１５＞  （ｅ）成分に対する（ｂ）成分の質量比〔（ｂ）成分／（ｅ）成分〕が、１〜３０であり、好ましくは１〜２５であり、より好ましくは１〜２０であり、更に好ましくは１〜１４であり、より更に好ましくは１．５〜１０である、＜８＞に記載の噴霧用透明液体芳香剤組成物。
＜１６＞  更に、（ｆ）成分として、下記一般式（ｆ１）で表される非イオン性界面活性剤を含む、＜１＞〜＜１５＞のいずれかに記載の噴霧用透明液体芳香剤組成物。
Ｒ1f−Ｚ−［（ＥＯ）s／（ＰＯ）t］−Ｒ2f      （ｆ１）
〔式（ｆ１）中、Ｒ1fは、炭素数１０〜１６の脂肪族炭化水素基、Ｒ2fは、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは整数であり、ｓは４〜５０の数、ｔは２以下の数である。〕
＜１７＞  ＜１＞〜＜１６＞のいずれかに記載の噴霧用透明液体芳香剤組成物をスプレー容器に充填してなる、スプレー式芳香剤物品。
＜１８＞  ＜１＞〜＜１７＞のいずれかに記載の噴霧用透明液体芳香剤組成物を、繊維製品の質量に対して１００質量％以下となる量を噴霧し付着させる、繊維製品の処理方法。
【実施例】
【００３８】
実施例及び比較例で用いた各配合成分をまとめて以下に示す。
【００３９】
（ａ）成分
・ａ−１：下記合成例１で得られたケイ酸エステル化合物を含む混合組成物
・ａ−２：下記合成例２で得られたケイ酸エステル化合物を含む混合組成物
・ａ−３：下記合成例３で得られたケイ酸エステル化合物を含む混合組成物
・ａ−４：下記合成例４で得られたケイ酸エステル化合物を含む混合組成物
【００４０】
（ａ’）成分
・ａ’−１：下記比較合成例１で得られたケイ酸エステル化合物を含む混合組成物
【００４１】
（ｂ）成分
・ｂ−１：Ｎ，Ｎ−ジ（１−デシル）−Ｎ，Ｎ−ジメチルアンモニウムクロリド
・ｂ−２：Ｎ，Ｎ−ジ（１−オクチル）−Ｎ，Ｎ−ジメチルアンモニウムクロリド
・ｂ−３：Ｎ−（１−ドデシル）−Ｎ，Ｎ−ジメチル−Ｎ−ベンジルアンモニウムクロリド
【００４２】
（ｃ）成分
・ｃ−１：エタノール
【００４３】
（ｄ）成分
・ｄ−１：ジエチレングリコール
・ｄ−２：２−エチルヘキシルグリセリルエーテル
【００４４】
（ｅ）成分
・ｅ−１：クエン酸（分子量：１６４）
【００４５】
（ｆ）成分
・ｆ−１：ポリオキシエチレン（数平均付加モル数は８モル）−１−ドデシルエーテル
【００４６】
〔（ａ）成分の合成〕
合成例で用いた香料は以下の通りである。
ラズベリーケトン：4-(4-Hydroxyphenyl)-2-butanone、フェノール性水酸基を有する香料
テトラヒドロミルセノール：2,6-Dimethyl-2-octanol、３級アルコール
フォルロージア：4-isopropylcyclohexanol、２級アルコール
メントール：p-Mnethan-3-ol、２級アルコール
ゲラニオール：3,7-Dimethyl-trans-2,6-octadien-1-ol、１級アルコール
【００４７】
合成例１：Ｓｉ（ＯRasp）（ＯFolrosia）3等のケイ酸エステル化合物（ａ）の合成
５００ｍＬの四つ口フラスコにテトラエトキシシラン８３．３２ｇ（０．４０ｍｏｌ）、ラズベリーケトン７２．２５ｇ（０．４４ｍｏｌ）、フォルロージア１８７．７６ｇ（１．３２ｍｏｌ）、５．２７５％ナトリウムエトキシドエタノール溶液０．５５ｇを入れ、窒素気流下エタノールを留出させながら１５０℃で約２時間攪拌した。その後、槽内の圧力を徐々に４ｋＰａまで下げ、エタノールを留出させながら約１５０℃でさらに１５時間攪拌した。その後、冷却、減圧を解除した後、濾過を行い、ラズベリーケトンとフォルロージアのモル比１：３のケイ酸エステル化合物〔Ｓｉ（ＯRasp）（ＯFolrosia）3〕を含む２４７．６６ｇの黄色油状物を得た。得られた油状物をガスクロマトグラフィーにより分析を行い、表１に示す組成のケイ酸エステル化合物を含む混合組成物を得た。
【００４８】
【表１】
0005856907.tif 000010
*1：Raspはラズベリーケトンからフェノール性水酸基を１つ除いた残基、Folrosiaはフォルロージアから水酸基を１つ除いた残基を示す。
【００４９】
合成例２：Ｓｉ（ＯRasp）（ＯMenthyl）2（ＯGer）等のケイ酸エステル化合物（ａ）の合成
５００ｍＬの四つ口フラスコにテトラエトキシシラン８３．３３ｇ（０．４０ｍｏｌ）、ラズベリーケトン７８．８２ｇ（０．４８ｍｏｌ）、メントール１２５．０２ｇ（０．８０ｍｏｌ）、ゲラニオール７４．０４ｇ（０．４８ｍｏｌ）、５．２７５％ナトリウムエトキシドエタノール溶液０．７７ｇを入れ、窒素気流下エタノールを留出させながら１６０℃で約２時間攪拌した。２時間後、槽内の圧力を徐々に６ｋＰａまで下げ、エタノールを留出させながら約１６０℃でさらに９時間攪拌した。その後、冷却、減圧を解除した後、濾過を行い、ラズベリーケトン、メントール及びゲラニオールのモル比１：２：１のケイ酸エステル化合物〔Ｓｉ（ＯRasp）（ＯMenthyl）2（ＯGer）〕を含む２８５．８９ｇの橙色油状物を得た。得られた油状物をガスクロマトグラフィーにより分析を行い、表２に示す組成のケイ酸エステル化合物を含む混合組成物を得た。
【００５０】
【表２】
0005856907.tif 000011
＊１  Raspはラズベリーケトンからフェノール性水酸基を１つ除いた残基、Menthylはメントールから水酸基を１つ除いた残基、Gerはゲラニオールから水酸基を１つ除いた残基を示す。
【００５１】
合成例３：Ｓｉ（ＯRasp）（ＯTHmyrcenyl）3等のケイ酸エステル化合物（ａ）の合成
５００ｍＬの四つ口フラスコにメチルエチルケトン３５ｍｌ、テトラクロロシラン１１．８９ｇ（０．０７ｍｏｌ）を添加した。テトラヒドロミルセノール３３．２４ｇ（０．２１ｍｏｌ）及びイミダゾール２１．４５ｇ（０．３２ｍｏｌ）をメチルエチルケトン（１０５ｍｌ）に溶解させた溶液をフラスコに１０分間掛けて滴下した。次に、ラズベリーケトン１１．４９ｇ（０．０７ｍｏｌ）及びイミダゾール７．１５ｇ（０．１１ｍｏｌ）をメチルエチルケトン（３５ｍｌ）に溶解させた溶液をフラスコに５分間掛けて滴下した。その後、反応溶液を1時間加熱還流（８１℃）を行った。フラスコにイオン交換水１５０ｍｌを入れ反応のクエンチを行った。ヘキサンで抽出を行った後、ヘキサン溶媒を飽和食塩水で洗浄し硫酸ナトリウムで乾燥させた。溶媒を減圧除去し、ラズベリーケトン、テトラヒドロミルセノールのモル比１：３のケイ酸エステル化合物〔Ｓｉ（ＯRasp）（ＯTHmyrcenyl）3〕を含む３２．２０ｇの黄色油状物を得た。得られた油状物をガスクロマトグラフィーにより分析を行い、表３に示す組成のケイ酸エステル化合物の混合組成物を得た。
【００５２】
【表３】
0005856907.tif 000012
*1：Raspはラズベリーケトンからフェノール性水酸基を１つ除いた残基、THmyrcenylはテトラヒドロミルセノールから水酸基を１つ除いた残基を示す。
【００５３】
合成例４：Ｓｉ（ＯRasp）（ＯMenthyl）3等のケイ酸エステル化合物（ａ）の合成
５００ｍＬの四つ口フラスコにテトラエトキシシラン８３．３３ｇ（０．４０ｍｏｌ）、ラズベリーケトン７２．２５ｇ（０．４４ｍｏｌ）、メントール２０６．２８ｇ（１．３２ｍｏｌ）、５．２７５％ナトリウムエトキシドエタノール溶液０．７１ｇを入れ、窒素気流下エタノールを留出させながら１３５〜１６０℃で約２時間攪拌した。２時間後、槽内の圧力を徐々に６ｋＰａまで下げ、エタノールを留出させながら約１６０℃でさらに２２時間攪拌した。その後、冷却、減圧を解除した後、濾過を行い、ラズベリーケトンとメントールのモル比１：３のケイ酸エステル化合物〔Ｓｉ（ＯRasp）（ＯMenthyl）3〕を含む２９１．３０ｇの黄色油状物を得た。得られた油状物をガスクロマトグラフィーにより分析を行い、表４に示す組成のケイ酸エステル化合物の混合組成物を得た。
【００５４】
【表４】
0005856907.tif 000013
＊１  Raspはラズベリーケトンからフェノール性水酸基を１つ除いた残基、Menthylはメントールから水酸基を１つ除いた残基を示す。
【００５５】
比較合成例１：Ｓｉ（ＯRasp）4等のケイ酸エステル化合物の合成
２００ｍＬの四つ口フラスコにテトラエトキシシラン２０．８３ｇ（０．１０ｍｏｌ）、ラズベリーケトン５９．１２ｇ（０．３６ｍｏｌ）、５．６％ナトリウムメトキシドメタノール溶液０．１５ｇを入れ、窒素気流下エタノールを留出させながら約１６０℃で約２時間攪拌した。２時間後、槽内の圧力を徐々に８ｋＰａまで下げ、エタノールを留出させながらさらに３時間攪拌した。その後、冷却、減圧を解除した後、濾過を行い、１分子中に４つのラズベリーケトン残基が導入されたケイ酸エステル化合物〔Ｓｉ（ＯRasp）4〕を含む６１．５３ｇの黄色油状物を得た。得られた油状物のガスクロマトグラフィー分析を試みたが、分解のため定量できなかった。核磁気共鳴装置（ＮＭＲ；バリアン社製、ＭＥＲＣＵＲＹ４００）を用いて、結合状態にあるラズベリーケトン（即ち、Ｓｉ（ＯRasp）n、ここでｎ＝１、２、３又は４）とフリーのラズベリーケトン（即ち、Ｒａｓｐ−ＯＨ）のモル比を求めた結果、Ｓｉ（ＯRasp）n：Rasp−ＯＨ＝６５．４：３４．６（モル比）であった。
【００５６】
実施例１〜１４及び比較例１〜３
＜噴霧用透明液体芳香剤組成物の調製＞
表５に示す組成の噴霧用透明液体芳香剤組成物を各４００ｇ調製した。表中、（ａ）成分の質量％は合成例の混合組成物中の（ａ）成分の質量に基づくものであり、（ｂ）成分の質量％は陽イオン部分の質量に基づくものであり、（ｅ）成分の質量％は酸型化合物の質量に基づくものである。
５００ｍＬのガラスビーカーに、一枚の長さが２．５ｃｍのタービン型羽根が３枚ついた攪拌羽根を設置（攪拌羽根底部がビーカー底面より１ｃｍ上部になるように設置）し、繊維製品処理剤組成物の出来上がり質量が４００ｇになるのに必要な量の９５％相当量のイオン交換水及び（ｂ）成分、（ｃ）成分及び（ｆ）成分を投入した。次いで、ウォーターバスで６２℃まで昇温した。６２±３℃の温度範囲で、５００ｒｐｍで５分間攪拌した。（ｄ）成分及び（ｅ）成分を使用する場合には、前記攪拌の後に投入し、更に１０分間攪拌した後に（ａ）成分（または（ａ’）成分）を添加した。１０分攪拌後、所定のｐＨにするのに必要な量の３５％塩酸水溶液及び／又は４８％水酸化ナトリウム水溶液を添加した。５分間攪拌した後に５℃のウォーターバスで３０℃まで冷却した。
得られた組成物のｐＨを再度確認し、必要に応じて、０．１規定の塩酸又は０．１規定の水酸化ナトリウム水溶液を用いて表１〜３に示すｐＨ（２５℃）に調整し、出来上がり質量（３００ｇ）になるように、イオン交換水を投入した。
実施例１〜１４及び比較例１〜３で得られた組成物について、下記方法で香りの強さを評価した。噴霧用透明液体芳香剤組成物のｐＨの測定は以下の測定方法で行った。
また、表５の噴霧用透明液体芳香剤組成物と透過率を紫外可視分光光度計を用いて測定した。紫外可視分光光度計において、光路長が１ｃｍの石英セルを用い、対照セルにイオン交換水（２５℃）を入れ、測定セルに噴霧用透明液体芳香剤組成物（２５℃）を入れ、６６０ｎｍの波長の透過率を測定した結果、実施例１〜１４及び比較例１〜３の何れもが透過率が９０％以上であり、目視においても外観は透明な外観であった。
【００５７】
＜基準組成物（Ｉ）の調製＞
表１〜４において示した（ａ）成分に代えて、（ａ）成分の原料に用いた複数のアルコール系香料を、（ａ）成分を製造する際の質量比で混合したアルコール系香料混合物を用いて、実施例１〜１４及び比較例１〜３の（ａ）成分と同じ量で使用した基準組成物（Ｉ）を調製した。基準組成物（Ｉ）のｐＨは表５記載の噴霧用透明液体芳香剤組成物と同じｐＨ（２５℃）になるように、０．１規定の塩酸又は０．１規定の水酸化ナトリウム水溶液で調製した。
【００５８】
＜ｐＨの測定方法＞
ｐＨの測定で使用したｐＨ測定装置及びｐＨ標準液を下記に示す。
〔ｐＨ標準液〕
（株）堀場製作所製ｐＨ標準液を用いた。
・ｐＨ標準液１００−７（中性りん酸塩標準液、精度；±０．０２ｐＨ）
・ｐＨ標準液１００−９（ホウ酸塩標準液、精度；±０．０２ｐＨ）
〔ｐＨ測定装置〕
・（株）堀場製作所製のｐＨメータ「Ｄ−５２Ｓ」
・ｐＨ電極：６３６７−１０Ｄ
【００５９】
ｐＨ測定装置は測定の１時間前に電源を入れた。未使用のｐＨ電極を用い、電極を予め２５℃±０．２℃のイオン交換水に２４時間浸しておいたものを使用した。ゼロ校正とスパン校正は、以下に記載のｐＨ標準液を用いて、２５℃におけるｐＨの指示値が、標準ｐＨ±０．０２になるまで繰り返し校正を行った。
【００６０】
噴霧用透明液体芳香剤組成物２００ｇを２００ｍＬ容量のガラス製トールビーカーに入れ、サランラップ（登録商標）で封をし、ウォーターバス中で、噴霧用透明液体芳香剤組成物の温度が２５±０．２℃になるように調整した。
【００６１】
校正後にｐＨ電極に２５℃のイオン交換水２００ｍＬをかけて洗浄後、各噴霧用透明液体芳香剤組成物を３回繰り返し測定した。得られた３回の測定値の平均値をｐＨ測定値とした。
【００６２】
〔ケイ酸エステル化合物（ａ）の保存安定性（加水分解安定性）試験〕
表５に記載された噴霧用透明液体芳香剤組成物を調製した直後の該組成物中に含まれるケイ酸エステル化合物（ａ）の量、及び４０℃で７日間保管した噴霧用透明液体芳香剤組成物中に含まれるケイ酸エステル化合物（ａ）の量を下記の方法で測定し、下記式に従ってケイ酸エステル化合物（ａ）の残存率（％）を測定した。なお、組成物の保管は、表５に記載の噴霧用透明液体芳香剤組成物１５０ｇを、規格瓶（透明広口、Ｎｏ．１３、容量２００ｍｌ）に入れ４０℃の恒温槽に入れ７日間保管して行った。
ケイ酸エステル化合物（ａ）の残存率（％）＝（Ｘ／Ｙ）×１００
Ｘ：４０℃で７日間保管した後の噴霧用透明液体芳香剤組成物中に含まれるケイ酸エステル化合物（ａ）の量
Ｙ：調製直後の噴霧用透明液体芳香剤組成物中に含まれるケイ酸エステル化合物（ａ）の量
残存率（％）の値が高ければ高い程、加水分解安定性に優れる。５０％以上であることが好ましい、残存率に５％以上の差があれば有意な差があると言える。
【００６３】
＊ケイ酸エステル化合物（ａ）の量の測定方法
超高速液体クロマトグラフ（（株）日立ハイテクノロジーズ製、ＬａＣｈｒｏｍＵｌｔｒａ）にて、カラム（逆相カラム、メルク（株）製）：ＬｉＣｈｒｏＣＡＲＴ（登録商標） ２５０−４ Ｌｉｃｈｒｏｓｐｈｅｒ（登録商標）１００ ＲＰ−１８ ｅｎｄｃａｐｐｅｄ(５μｍ)を用い、表５記載の噴霧用透明液体芳香剤組成物について、調製直後の該組成物、及び４０℃で７日間保管した該組成物を、それぞれ８０μＬカラムに注入し、溶離液：メタノール、流量：１ｍＬ／ｍｉｎ、検出ＵＶ波長：２２０ｎｍ、測定時間：６０ｍｉｎ、カラム温度：４０℃の条件で、ケイ酸エステル化合物（ａ）の測定を行った。検量線用として、ケイ酸エステル化合物（ａ）成分をメタノールで０．１〜１０ｐｐｍに希釈した既知濃度のサンプルを同様に測定し、ピーク面積比から各組成物中のケイ酸エステル化合物（ａ）成分の含有量を算出した。
【００６４】
〔香りの持続性の評価〕
（１）評価用布の調製
綿メリヤスニット布（（株）谷頭商店製、染色試材、綿ニット未シル）２ｋｇを市販の弱アルカリ性洗剤（花王（株）製、アタック高活性バイオＥＸ（登録商標）、２００９年発売品）を用いて全自動洗濯機（日立ＮＷ−７ＦＴ）で洗濯した（洗剤濃度０．０６６７質量％、水道水（２０℃）４０Ｌ使用、標準コース、洗濯９分−すすぎ２回−脱水６分）。洗濯終了後の綿メリヤスニット布を、２５℃、５０％ＲＨの恒温室に干し、１２時間乾燥させた。綿メリヤスニット布を裁断（１０ｃｍ×１０ｃｍ）し評価用布とした。
【００６５】
（２）香りの持続性の評価方法
（２−１）試験布の調製
前記評価用布１枚を用い、２００メッシュのステンレス製金網の上に平らに置いた。評価用布の乾燥時質量（前記（１）評価用布の調製において、洗濯終了後に２５℃、５０％ＲＨで１２時間乾燥した直後の質量）に対して、表５に示す噴霧用透明液体芳香剤組成物を４０℃で７日間保管した組成物を、５℃の水で３０℃まで冷却し、５０質量％噴霧した後、２５℃／５０％ＲＨの恒温室にて７２時間保管して試験布を得た。スプレー容器は、キャニオン製Ｔ−７５００を用いた。試験布は、各実施例又は比較例ごとに、１組成当たり５枚調製した。
【００６６】
（２−２）基準試験布（１）の調製
表５に記載の実施例１〜１４及び比較例１〜３の噴霧用透明液体芳香剤組成物に対応する基準組成物（Ｉ）を用いた以外は、前記「（２−１）試験布の調製」と同じ方法で、各実施例又は比較例に対応する基準試験布を調製した。
【００６７】
（２−３）基準試験布（２）の調製
調製した直後の表５に記載の噴霧用透明液体芳香剤組成物を用いた以外は、前記「（２−１）試験布の調製」と同じ方法で、各実施例又は比較例に対応する基準試験布（２）を調製した。
【００６８】
（３）香りの強さの評価
各条件ごとに１組成当たり５枚の試験布を用い、５枚の試験布を重ねて、３０歳代の男性５人及び女性５人の計１０人のパネラーで経時的な香りの強さを評価した。５枚の基準試験布を重ねて用いて下記の基準で比較評価し、その平均値を求め、表５に示した。７２時間保管後の香りの強さとしては、香りの持続性の観点から、いずれの香りの強さも平均点１以上であることが好ましい。香りの強さの差が０．３以上あれば有意な差として認知できる。
０：試験布は基準試験布（２）よりも、基準試験布（１）に近い香りの強さ
１：試験布は基準試験布（２）と基準試験布（１）の間の香りの強さ
２：試験布は基準試験布（１）よりも、基準試験布（２）に近い香りの強さ
【００６９】
【表５】
0005856907.tif 000014